(57)【特許請求の範囲】
【請求項１】
ジンバル機構により揺動可能に支持されたレーザーユニットホルダーと、このレーザーユニットホルダーに取り付けられた一又は二以上のレーザーユニットとを有してなるレーザー墨出し器において、
上記レーザーユニットホルダーの外周には回転軸から重心がずれている偏心ウエイトが回転可能に嵌合され、
上記レーザーユニットホルダーの外周には、ネジの螺合により重心を変化させるサブウエイトが取り付けられていることを特徴とするレーザー墨出し器の光軸バランス調整機構。
【請求項２】
前記レーザーユニットは、レーザー発光素子と、このレーザー発光素子から出射されるレーザー光の光軸上に配置されたコリメータレンズ及びロッドレンズとを有してなることを特徴とする請求項１記載のレーザー墨出し器の光軸バランス調整機構。
【請求項３】
前記レーザーユニットの少なくとも一つは、レーザー発光素子と、このレーザー発光素子から出射されるレーザー光の光軸上に配置されたコリメータレンズ及びロッドレンズとを有し、
他のレーザーユニットの一つは、レーザー発光素子と、このレーザー発光素子から出射されるレーザー光の光軸上に配置されたコリメータレンズとを有するものであることを特徴とする請求項１記載のレーザー墨出し器の光軸バランス調整機構。
【請求項４】
前記偏心ウエイトは、円筒を互いに平行でない平面により切断した形状であることを特徴とする請求項１記載のレーザー墨出し器の光軸バランス調整機構。
【請求項５】
前記偏心ウエイトは、端面に段差が設けられていることを特徴とする請求項１記載のレーザー墨出し器の光軸バランス調整機構。
【請求項６】
ジンバル機構により揺動可能に支持されたレーザーユニットホルダーと、このレーザーユニットホルダーに取り付けられた一又は二以上のレーザーユニットとを有してなるレーザー墨出し器において、
上記レーザーユニットホルダーの外周には回転軸から重心がずれている偏心ウエイトが回転可能に嵌合され、
上記偏心ウエイトの外周にはネジの螺合により重心を変化させるサブウエイトが取り付けられていることを特徴とするレーザー墨出し器の光軸バランス調整機構。
【発明の詳細な説明】
【０００１】
【発明の属する技術分野】
本発明は、建築作業時や部屋の間仕切りなどを行う際、レーザ投射器より天井から壁面にかけて通り芯あるいは「たち」と呼ばれる基準線、あるいは壁面に「ろく」と呼ばれる基準線を投射するレーザー墨出し器のレーザー光軸バランス調整機構に関するものである。
【０００２】
【従来の技術】
レーザ光は、本来横断面が楕円形の光であるが、コリメートレンズおよび軸線をその光軸に対して水平としたロッドレンズを通すことにより、一条の鉛直光線となる。また、コリメートレンズおよび軸線をその光軸に対して垂直としたロッドレンズを通すことにより、一条の水平光線となる。
レーザ墨出し器は、このような鉛直光線又は水平光線を投射するレーザー投光器を利用したもので、ジンバル機構により支持されたレーザーユニットホルダーを備え、このレーザーユニットホルダーの所定位置にレーザー投光器を備えたレーザーユニットが支持されている。レーザー墨出し器は、上記レーザーユニットから投射される基準線が正しく垂直及び水平となるように調整する必要がある。
【０００３】
従って、レーザーユニットがレーザーユニットホルダーの所定位置に支持されていても、レーザーユニットを含むレーザーユニットホルダー全体のバランスがとれていなければ、レーザーユニットによって壁面に投射される基準線が正確に垂直又は水平を示すことはできず、墨出し器として用をなさない。従って、レーザー墨出し器における光軸バランス調整を正確に行う必要がある。
【０００４】
従来のレーザー墨出し器における光軸バランス調整機構を図２１、図２２に示す。図２１において、図示しないレーザーユニットが取り付けられたレーザーユニットホルダー１４はジンバル機構により互いに直交する２軸を中心に揺動可能に支持されている。レーザーユニットホルダー１４の外周には、円筒状のバランスウエイト３４がレーザーユニットホルダー１４と一定のクリアランスを有して配置されている。バランスウエイト３４にはレーザーユニットホルダー１４を挟んで一対のネジ孔３５が設けられ、これらのネジ孔３５にウエイト調整用ネジ３６が螺合され、各ウエイト調整用ネジ３６の先端がレーザーユニットホルダー１４の外周面に当接することにより、ウエイト調整用ネジ３６が取り付けられている。一対のウエイト調整用ネジ３６を調整してバランスウエイト３４を移動させることにより、壁面に投射されるレーザー光の垂直度、水平度の調整を行い光軸バランス調整を行うようになっている。
また、図２２に示すようにレーザーユニットホルダー１４の外周にネジ３７を取り付け、このネジ３７に雌ネジを有するバランスウエイト３８を螺合させ、バランスウエイト３８を回転させることにより重心位置を変化させて光軸バランス調整を行い、レーザー光の垂直度、水平度の調整を行うものも知られている。
【０００５】
しかし、図２１に示す調整機構では、バランスウエイト３４とレーザーユニットホルダー１４との間にクリアランスが必ず必要であり、しかもバランスウエイト３４の外周からウエイト移動用ネジ３５が突出しているため、調整機構自体が大きくなり、墨出し器全体が大きくなってしまうといった問題があった。
また、図２２に示す調整機構においても、大きなバランスウエイト３８をレーザーユニットホルダー１４に対し直交する方向に移動させるため、調整機構自体が大きくなり、墨出し器全体が大きくなってしまうといった問題があった。
【０００６】
【発明が解決しようとする課題】
本発明は以上のような従来技術の問題点を解消するためになされたもので、微妙なバランス調整が可能で、調整の効率がよく、小型化を可能としたレーザー墨出し器のレーザー光軸バランス調整機構を提供することを目的とする。
【０００７】
【課題を解決するための手段】
前記課題を解決するために請求項１記載の発明は、ジンバル機構により揺動可能に支持されたレーザーユニットホルダーと、このレーザーユニットホルダーに取り付けられた一又は二以上のレーザーユニットとを有してなるレーザー墨出し器において、上記レーザーユニットホルダーの外周には回転軸から重心がずれている偏心ウエイトが回転可能に嵌合され、上記レーザーユニットホルダーの外周には、ネジの螺合により重心を変化させるサブウエイトが取り付けられていることを特徴とする。
【０００８】
請求項２記載の発明は、請求項１記載の発明において、レーザーユニットは、レーザー発光素子と、このレーザー発光素子から出射されるレーザー光の光軸上に配置されたコリメータレンズ及びロッドレンズとを有してなることを特徴とする。
【０００９】
請求項３記載の発明は、請求項１記載の発明において、レーザーユニットの少なくとも一つは、レーザー発光素子と、このレーザー発光素子から出射されるレーザー光の光軸上に配置されたコリメータレンズ及びロッドレンズとを有し、他のレーザーユニットの一つは、レーザー発光素子と、このレーザー発光素子から出射されるレーザー光の光軸上に配置されたコリメータレンズとを有するものであることを特徴とする。
【００１０】
請求項４記載の発明は、請求項１記載の発明において、偏心ウエイトは、円筒を互いに平行でない平面により切断した形状であることを特徴とする。
【００１１】
請求項５記載の発明は、請求項１記載の発明において、偏心ウエイトは、端面に段差が設けられていることを特徴とする。
【００１２】
請求項６記載の発明は、ジンバル機構により揺動可能に支持されたレーザーユニットホルダーと、このレーザーユニットホルダーに取り付けられた一又は二以上のレーザーユニットとを有してなるレーザー墨出し器において、上記レーザーユニットホルダーの外周には回転軸から重心がずれている偏心ウエイトが回転可能に嵌合され、上記偏心ウエイトの外周にはネジの螺合により重心を変化させるサブウエイトが取り付けられていることを特徴とする。
【００１３】
【発明の実施の形態】
以下、図面を参照しながら本発明にかかるレーザー墨出し器の光軸バランス調整機構の実施の形態について説明する。
図１に示すように、本発明に用いることができるレーザー墨出し器１の外形は、ほぼ円板状に形成された基台１０と、この基台１０上に被せられるメインカバー３０とを有してなる。この基台１０およびメインカバー３０はともにステンレス等により成形されている。レーザー墨出し器１の安定性を高めるために、基台１０の底面にはその周囲に等間隔に３本のレッグ１１が取り付けられ、レッグ１１の下端部には同じ高さの円錐状のアジャスター１１１がその先端を床に向けて取り付けられている。
【００１４】
基台１０の上面側には、３本の支柱１２が鉛直方向に立設して取り付けられ、支柱１２の上端部には、２軸構成のジンバル機構１００によりレーザーユニットホルダー１４が揺動可能に取り付けられている。
【００１５】
ここで、ジンバル機構１００の構成について説明する。図４に２軸構成のジンバル機構の構成例を示し、図５に１軸構成のジンバル機構の構成例を示す。
図４に示す２軸構成のジンバル機構１００では、径の異なるジンバルリングを三重に設け、外側のジンバルリング５６の外周は、上記３本の支柱１２に略水平に固定されている。揺動基準軸となるベアリングシャフト１３ａの一端は、ジンバルリング５６の内周側から半径方向外側に向かい挿入されて固定され、他端はジンバルリング５７の内部に保持されたベアリング１４１ａを貫通するとともにジンバルリング５７に嵌合されている。上記ベアリングシャフト１３ａとベアリング１４１ａは、ジンバルリング５６、５７の中心を挟んで両側に対をなして設けられ、ジンバルリング５６とジンバルリング５７とが一対のベアリングシャフト１３ａを中心に相対回転可能となっている。
【００１６】
また、別のベアリングシャフト１３ｂの一端は、ジンバルリング５７の内周側から半径方向外側に向かい挿入されて固定され、他端はジンバルリング５８の内部に保持されたベアリング１４１ｂを貫通するとともにジンバルリング５７に嵌合されている。上記ベアリングシャフト１３ｂとベアリング１４１ｂは、ジンバルリング５７、５８の中心を挟んで両側に対をなして設けられ、ジンバルリング５７とジンバルリング５８とが一対のベアリングシャフト１３ｂを中心に回転可能となっている。ジンバルリング５８はレーザーユニットホルダー１４の上部外周面に固定されている。
【００１７】
ベアリングシャフト１３ａとベアリングシャフト１３ｂとは、それぞれ軸方向が直角となるように取り付けられ、レーザーユニットホルダー１４は、ベアリングシャフト１３ａを中心に揺動可能となっており、また、ベアリングシャフト１３ｂを中心に揺動可能となっている。
【００１８】
なお、図２に示す実施の形態においては、図４に示した２軸構成のジンバル機構１００を用いているが、図５に示す１軸構成のジンバル機構を用いることも可能である。
図５に示す１軸構成のジンバル機構では、ジンバル機構の揺動基準軸となるベアリングシャフト１３の一端は、ジンバルリング５９の内周側から半径方向に向かい挿入されて固定され、他端はジンバルリング６０の内部に保持されたベアリング１４１を貫通するとともに、ジンバルリング６０に嵌合されている。ジンバルリング６０はレーザーユニットホルダー１４の上部外周面に固定されている。従って、レーザーユニットホルダー１４は、ベアリングシャフト１３を中心に揺動可能となっている。
なお、上記のジンバル機構はいずれも周知のものである。
【００１９】
図１、図２において、本実施の形態では、レーザーユニットホルダー１４はアルミ合金からなり、ジンバル機構１００の上方には、垂直ライン用レーザーユニット２０ａが取り付けられている。垂直ライン用レーザーユニット２０ａは、レーザー光の出射方向が斜め上向きになるように、レーザーユニットホルダー１４の上方に傾斜させて取り付けられている。また、ジンバル機構１００の下方で、レーザーユニットホルダー１４の中段位置には、レーザー光の出射方向が略水平となるように水平ライン用レーザーユニット２０ｂが取り付けられている。さらに、レーザーユニットホルダー１４の下端には、レーザー光の出射方向が鉛直下方となるように地墨用レーザーユニット２０ｃが取り付けられている。
【００２０】
上記のような構成により、レーザーユニットホルダー１４に取り付けられた垂直ライン用レーザーユニット２０ａ、水平ライン用レーザーユニット２０ｂ、地墨用レーザーユニット２０ｃ及び後述の制動用プレート１５等からなる揺動部分全体の重心は、ベアリングシャフト１３よりも下方に設定されている。
【００２１】
垂直ライン用レーザーユニット２０ａは、図６、図７に示すように、発光ユニット２１と、同発光ユニット２１の正面開口部に取り付けられたロッドレンズ２２とを備えている。発光ユニット２１のホルダー２１１内には、レーザーダイオード２１２とコリメータレンズ２１３が収納されており、ホルダー２１１の後端にはレーザーダイオード２１２の駆動回路基板２１３が取り付けられている。ロッドレンズ２２は、その軸線がレーザーダイオード２１２から発光されるレーザー光の光軸に対して直角になるように、レンズホルダー２２１を介して発光ユニット２１に水平方向に取り付けられている。レーザーダイオード２１２から射出されるレーザー光は横断面形状が楕円形の拡散光で、このレーザー光はコリメータレンズ２１３で一定の大きさの平行光束となり、さらにロッドレンズ２２によって垂直方向にのみ引き延ばされたレーザー光となる。
【００２２】
また、水平ライン用レーザーユニット２０ｂは、上記垂直ライン用レーザーユニット２０ａと同様の構成であるが、ロッドレンズ２２によって水平方向にのみ引き延ばされたレーザー光が出射されるようになっている。
【００２３】
地墨用レーザーユニット２０ｃは、上記垂直ライン用レーザーユニット２０ａの構成において、ロッドレンズを有さず、レーザー光はコリメータレンズ２１３で一定の大きさの平行光束とされ、点光線状に出射されるようになっている。
【００２４】
ここで、地墨レーザーユニット２０ｃのレーザーユニットホルダー１４に対する傾角調整機構について説明する。図１６、図１７、図１８に示すように、レーザーユニットホルダー１４の底部には、地墨レーザーユニット２０ｃを挿入可能な孔６１が設けられている。地墨レーザーユニット２０ｃは底板６２に出射側端面を当接して取り付けられ、底板６２の中央部はレーザー光が通過可能な穴６３が設けられている。底板６２には一対の押しネジ６４、６４と一対の引きネジ６５、６５がねじ込まれている。一対の押しネジ６４、６４を結ぶ線と一対の引きネジ６５、６５を結ぶ線は互いに直交するように配置されている。押しネジ６４の端部はレーザーユニットホルダー１４の底面に当接し、引きネジ６５の端部はレーザーユニットホルダー１４の底面に設けられたネジ孔に螺合している。これらネジを互いに調整することにより、底板６２に取り付けられた地墨レーザーユニット２０ｃの傾角調整を行うことができる。
【００２５】
また、図１９、２０に示すように、押しネジ又は引きネジの外周にコイルバネ６６を配置し、バネの付勢力を利用し傾角調整を行うようにしてもよい。
【００２６】
図１、図２において、レーザーユニットホルダー１４の下部には、制動用プレート１５が取り付けられている。本実施の形態では、図２４に示すように、制動用プレート１５はレーザーユニットホルダー１４から水平方向に突出するように取り付けられている。基台１０（図１参照）の上面には、コの字状に折り曲げられたヨーク１６がねじ止めされている。ヨーク１６の互いに平行で水平方向の各折り曲げ辺の相対向する内側面には、マグネット１６１、１６１がそれぞれ取り付けられている。この対をなすマグネット１６１、１６１間に形成された磁気ギャップ内に上記制動用プレート１５が水平面内で移動可能に配置されている。すなわち、ヨーク１６、マグネット１６１、１６１、上記制動用プレート１５によって周知の磁気ダンパを構成している。
【００２７】
従来においては、図８に示すように、金属プレート４１をＬ字型に折り曲げて、レーザーユニットホルダー１４に取り付けてレーザーユニットホルダー１４の側方に突出させ、Ｕ字型ヨーク１６の相対向する垂直片の内面に設けた磁石４３、４３間の磁気ギャップ内に上記金属プレート４１の垂直片を位置させるか、または図９に示すように、金属プレート４２をレーザーユニットホルダーの下面に水平に取り付け、その下方に固定したベース４４上に適宜数の磁石４３を設け、この磁石４３と上記金属プレート４２との間に磁気ギャップを形成する構成としていた。しかし、図８に示す構成では、１軸方向の動きしか止めることができなかった。また、図９に示す構成では、図の互いに直交する２軸方向の動きを止めることはできるが、磁気回路を円周上に数個配置しなければならず、制動機構が大きくなり、コストが増加するといった問題があった。
【００２８】
しかし、本実施の形態においては、図２４に示すように制動用プレート１５はレーザーユニットホルダー１４から側方に水平方向に、かつ、互いに直交する２軸を中心としたレーザーユニットホルダー１４の揺動方向に延びていて、この金属プレート１５を上下のマグネット１６１で挟み込んでいる。これによりレーザーユニットホルダー１４の揺動とともに制動用プレート１５が上記磁気ギャップ内を移動すると、この移動速度に応じた誘導電流が制動用プレート１５に流れ、この誘導電流によって上記移動の向きとは逆向きの駆動力を発生させるため、レーザーユニットホルダー１４が鉛直方向に向いた姿勢で円滑に静止することができる。しかも、磁気回路は一つだけであるにもかかわらず、互いに直交する２軸方向の揺動に対して制動を行うことができるため、制動機構を簡略化でき、墨出し器全体の小型化が可能となり、コスト削減を図ることができる。
【００２９】
図２に示すように、メインカバー３０と、垂直ライン用レーザーユニット２０ａのレーザー出射面とが対向する角部には、レーザー光を外部に出射するための開口部３１がメインカバー３０の上面から側面にかけて斜めに形成されている。上記開口部３１には透明な防塵カバー３１１が嵌め込まれている。防塵カバー３１１には図示しないレーザー出射窓が設けられ、レーザー出射窓は、通り芯としてのレーザー光が部屋の天井から壁面にかけて投射されるように上下方向のスリット孔が設けられている。
【００３０】
また、メインカバー３０と水平ライン用レーザーユニット２０ｂのレーザー出射面とが対向する位置には凹部２９が設けられ、この凹部２９の奥側には透明な防塵カバー２９１が嵌め込まれている。防塵カバー２９１には図示しないレーザー出射窓が設けられ、レーザー出射窓は、通り陸としてのレーザー光が部屋の側面に水平方向に投射されるように左右方向のスリット孔が設けられている。
このように凹部２９の奥側に防塵カバー２９１を設けることにより、防塵カバーをレーザーユニットに近づけることができるため、防塵カバー自体を小さくすることができる。防塵カバーを小さくすると、精度が良くなり、レーザー光を歪める危険性も少なくなる。さらに、傷や汚れの影響も少なくすることができる。なお、防塵カバーはその保持部材とともに墨出し機本体外側から着脱可能としてもよい。
【００３１】
次に光軸バランス調整機構について説明する。
図３に示すように、レーザーユニットホルダー１４の下方部外周には、回転軸から重心がずれている偏心ウエイト５１が回転可能に嵌合されている。また、レーザーユニットホルダー１４の外周であって、上記偏心ウエイト５１の下面と対向する位置には、抜け止め５２が設けられている。偏心ウエイト５１の外周には、ネジの螺合により重心を変化させるサブウエイト５３が取り付けられている。
【００３２】
また、レーザーユニットホルダー１４の外周であって、偏心ウエイト５１の上側には、回転軸から重心がずれている別の偏心ウエイト５４が回転可能に嵌合されている。偏心ウエイト５４の外周には、ネジの螺合により重心を変化させるサブウエイト５５が取り付けられている。
【００３３】
上記光軸バランス調整機構については、図１０に基づいて説明する。レーザーユニットホルダー１４は、ベアリングシャフト１３ａを中心として揺動可能となり、また、ベアリングシャフト１３ｂを中心として揺動可能となっている。
【００３４】
レーザーユニットホルダー１４の外周には、偏心ウエイト５１、５４が摩擦力をもって嵌まっており、手動により回転可能となっている。
光軸バランス調整に際しては、先ず偏心ウエイト５１、５４をレーザーユニットホルダー１４の外周において回動させ、それぞれベアリングシャフト１３ａ，１３ｂを中心として揺動可能なレーザーユニットホルダー１４の垂直度を出し、光軸バランスの粗調整を行う。その後、サブウエイト５３に設けられた雌ネジ５３ａを回転させることによりベアリングシャフト１３ｂを中心とした揺動の微調整を行う。また、サブウエイト５５に設けられた雌ネジ５５ａを回転させることによりベアリングシャフト１３ａを中心とした揺動の微調整を行う。ここで、レーザーユニットホルダー１４の垂直度とは、垂直ライン用レーザーユニット２０ａが正確に鉛直線を描き、水平ライン用レーザーユニット２０ｂが正確に水平線を描くことができることをいう。
このように偏心ウエイトとサブウエイトを別個に設けることにより、レーザーユニットホルダーの微妙なバランス調整が可能となり、効率よく精密な墨出し線を得ることができる。
【００３５】
なお、回転軸から重心がずれている偏心ウエイトは、図１１に符号３２で示すように円筒を互いに平行でない平面により切断した形状であってもよく、また、図１２に示すように図１１に示した偏心ウエイトの端面に段差を設けた形状であってもよい。また、サブウエイトは、雄ネジに雌ネジが螺合された構成に限定されるものではなく、スライド可能なピン、重りなどでもよい。
【００３６】
また、図１３に示すように、サブウエイト５３、５５を偏心ウエイト５１、５４の外周ではなく、レーザーユニットホルダー１４の外周に直接取り付けた構造としてもよい。この場合、サブウエイト５３の軸方向は、ベアリングシャフト１３ｂと同じ方向とし、サブウエイト５５の軸方向は、ベアリングシャフト１３ａと同じ方向とする。
【００３７】
また、１軸構成のジンバル機構の場合は、図１４に示すようにレーザーユニットホルダー１４の外周に１つの偏心ウエイト３２を嵌合させ、この偏心ウエイト３２の外周面にネジの螺合により重心を変化させるサブウエイト３３を取り付けてもよい。
また、図１５に示すようにレーザーユニットホルダー１４の外周に偏心ウエイト３２を嵌合させ、レーザーユニットホルダー１４の外周であって、ベアリングシャフト１３と直角方向には、ネジの螺合により重心を変化させるサブウエイト３３を取り付けてもよい。
【００３８】
なお、図２３、図２５に示すように、レーザーユニットホルダー１４の移動限界位置に例えばリング状のリミットスイッチ接点７１を設け、レーザーユニットホルダー１４本体またはレーザーユニットホルダー１４に取り付けられた導体７５と上記リミットスイッチ接点７１とが接触したときこれを検出するスイッチ回路７２を設ける。そして、このスイッチ回路７２と電源７３との間にＬＤ発光回路７４を設ける。これにより、レーザー墨出し器１を使用中にレーザーユニットホルダー１４又は導体７５がリミットスイッチ接点７１に接触した場合、すなわち可動限界に達した場合、この接触を電気的に検出し、ＬＤを消灯させることにより使用者に知らせるようにしてもよい。
また、図２６に示すように、リミットスイッチ接点７１１、７１２とレーザーユニットホルダー１４に取り付けられた導体７６とを接点として、可動限界を検出するようにしてもよい。
なお、導体７５、７６は導電性の弾性体、例えばゴムやスポンジを利用することにより、移動限界位置に達する際の衝撃を緩和することができる。また、リミットスイッチ７１はリング状のものに限られず、適宜設計変更可能である。
【００３９】
【発明の効果】
請求項１記載の発明によれば、ジンバル機構により揺動可能に支持されたレーザーユニットホルダーと、このレーザーユニットホルダーに取り付けられた一又は二以上のレーザーユニットとを有してなるレーザー墨出し器において、上記レーザーユニットホルダーの外周には偏心ウエイトが回転可能に嵌合され、上記レーザーユニットホルダーの外周であって揺動平面と平行な方向には、ネジの螺合により重心を変化させるサブウエイトが取り付けられているため、重心が予め偏心されている偏心ウエイトによりレーザーユニットホルダーの垂直度の粗調整を行い、その後サブウエイトにより微調整を行うことができ、微妙なバランス調整を効率よく行うことができる。
【００４０】
請求項４記載の発明によれば、請求項１記載のレーザー墨出し器の光軸バランス調整機構において、偏心ウエイトは、円筒を互いに平行でない平面により切断した形状であるため、効率よくレーザーユニットの垂直度の粗調整を行うことができる。
【００４１】
請求項５記載の発明によれば、請求項１記載のレーザー墨出し器の光軸バランス調整機構において、偏心ウエイトは、端面に段差が設けられているため、効率よくレーザーユニットの垂直度の粗調整をすることができる。
【００４２】
請求項６記載の発明によれば、ジンバル機構により揺動可能に支持されたレーザーユニットホルダーと、このレーザーユニットホルダーに取り付けられた一又は二以上のレーザーユニットとを有してなるレーザー墨出し器において、上記レーザーユニットホルダーの外周には偏心ウエイトが回転可能に嵌合され、上記偏心ウエイトの外周にはネジの螺合により重心を変化させるサブウエイトが取り付けられているため、重心が予め偏心されている偏心ウエイトによりレーザーユニットホルダーの垂直度の粗調整を行い、その後サブウエイトにより微調整を行うことができ、微妙なバランス調整を効率よく行うことができる。しかも、調整機構自体が小さくなり、墨出し器全体を小型化することができる。
【図面の簡単な説明】
【図１】本発明に用いることができるレーザ墨出し器の一例を示す側面図である。
【図２】同上の側断面図である。
【図３】同上正面図である。
【図４】本発明に用いることができるジンバル機構の一例を示す斜視図である。
【図５】本発明に用いることができるジンバル機構の別の例を示す斜視図である。
【図６】本発明に用いることができるレーザーユニットの一例を示す平面図である。
【図７】同上の側面断面図である。
【図８】従来の墨出し器に用いられていた制動機構における磁気回路と金属プレートの配置関係の一例を示す側面図である。
【図９】従来の墨出し器に用いられていた制動機構における磁気回路と金属プレートの配置関係の別の例を示す側面図である。
【図１０】本発明に用いることができる偏心ウエイトとサブウエイトの取付例を示す斜視図である。
【図１１】本発明に用いることができる偏心ウエイトの一例を示す斜視図である。
【図１２】本発明に用いることができる偏心ウエイトの別の例を示す斜視図である。
【図１３】本発明に用いることができる偏心ウエイトとサブウエイトの別の取付例を示す斜視図である。
【図１４】本発明に用いることができる偏心ウエイトとサブウエイトの別の取付例を示す斜視図である。
【図１５】本発明に用いることができる偏心ウエイトとサブウエイトのさらに別の取付例を示す斜視図である。
【図１６】  本発明に用いることができる地墨レーザーユニットの傾角調整機構の一例を示す正面図である。
【図１７】  同上の側面図である。
【図１８】  同上の下面図である。
【図１９】  本発明に用いることができる地墨レーザーユニットの傾角調整機構の別の例を示す正面図である。
【図２０】  同上の側面図である。
【図２１】従来の墨出し器に用いられていたバランスウエイトの一例を示す斜視図である。
【図２２】従来の墨出し器に用いられていたバランスウエイトの別の例を示す斜視図である。
【図２３】本発明に用いることができるレーザユニットホルダーの移動限界検知機構の一例を示す側面図である。
【図２４】本発明に用いることができる制動機構の磁気回路と金属プレートの配置関係の一例を示す側面図である。
【図２５】本発明に用いることができるレーザユニットホルダーの移動限界検知機構の別の例を示す側面図である。
【図２６】本発明に用いることができるレーザユニットホルダーの移動限界検知機構のさらに別の例を示す側面図である。
【符号の説明】
１      レーザー墨出し器
１４      レーザーユニットホルダー
２０ａ    レーザーユニット
２０ｂ    レーザーユニット
２０ｃ    レーザーユニット
５１      偏心ウエイト
５３      サブウエイト
５４      偏心ウエイト
５５      サブウエイト
【図１】
0003810231.tif 000002
【図２】
0003810231.tif 000003
【図３】
0003810231.tif 000004
【図４】
0003810231.tif 000005
【図５】
0003810231.tif 000006
【図６】
0003810231.tif 000007
【図７】
0003810231.tif 000008
【図８】
0003810231.tif 000009
【図９】
0003810231.tif 000010
【図１０】
0003810231.tif 000011
【図１１】
0003810231.tif 000012
【図１２】
0003810231.tif 000013
【図１３】
0003810231.tif 000014
【図１４】
0003810231.tif 000015
【図１５】
0003810231.tif 000016
【図１６】
0003810231.tif 000017
【図１７】
0003810231.tif 000018
【図１８】
0003810231.tif 000019
【図１９】
0003810231.tif 000020
【図２０】
0003810231.tif 000021
【図２１】
0003810231.tif 000022
【図２２】
0003810231.tif 000023
【図２３】
0003810231.tif 000024
【図２４】
0003810231.tif 000025
【図２５】
0003810231.tif 000026
【図２６】
0003810231.tif 000027